(57)【要約】【課題】  万が一、冷却材が漏れだしても、ノートパソコンを故障させにくく、しかもその除去処理が容易なノートパソコン用冷却台を提供する。【解決手段】  本ノートパソコン用冷却台１０は、アルミラミネートフィルム製の袋１１と、パーライトにパラフィンを担持させてなる複合組成物１２とを備えており、複合組成物１２が袋１１内部に充填され真空パックされることによって、全体が平板状に形成されているとともに、その上面がノートパソコンを載置するための載置面１１ａとなるよう構成されている。そのため、万が一、袋１１が破損して袋１１内の複合組成物１２が漏れだしても、複合組成物１２の除去作業を比較的容易に行うことが可能となる。また、複合組成物１２に腐食性物質を使用していないため、ノートパソコンの故障の原因となりにくい。【選択図】  図１
0003116467.tif 000002
【実用新案登録請求の範囲】
【請求項１】
ノートパソコンを載置するための載置面が形成されるとともに、前記載置面に載置されたノートパソコンの温度上昇を抑制するための冷却材を備えたノートパソコン用冷却台であって、
前記冷却材としてパーライトにパラフィンを担持させてなる複合組成物を備え、更に、前記冷却材をアルミラミネートフィルム製の袋に充填して真空パックしてなることを特徴とするノートパソコン用冷却台。
【請求項２】
前記パラフィンは、炭素数が１２〜２０のｎ−パラフィンであること
を特徴とする請求項１に記載のノートパソコン用冷却台。
【請求項３】
前記パーライトは、平均粒子径が５〜５０μｍ、吸油量が１５０〜５００ｍｌ／１００ｇであること
を特徴とする請求項１又は請求項２に記載のノートパソコン用冷却台。
【請求項４】
前記アルミラミネートフィルムは、前記袋の外面側から内面側に向かってＰＥＴ、ＰＥ、Ａｌ、ＰＥ、ＰＥを積層してなる５層構造のフィルムで、当該フィルム全体の厚さが９０〜２００μｍであること
を特徴とする請求項１から請求項３までのいずれか１項に記載のノートパソコン用冷却台。
【請求項５】
前記真空パックを行う際の圧力条件が、−７０ｋＰａ以下に設定されたものであること
を特徴とする請求項１から請求項４までのいずれか１項に記載のノートパソコン用冷却台。
【請求項６】
前記アルミラミネートフィルム製の袋の内部に金属板を備えていること
を特徴とする請求項１から請求項５までのいずれか１項に記載のノートパソコン用冷却台。
【請求項７】
前記アルミラミネートフィルム製の袋の外表面に、前記載置面を形成する金属板を備えていること
を特徴とする請求項１から請求項６までのいずれか１項に記載のノートパソコン用冷却台。
【請求項８】
前記金属板は、鉄製であること
を特徴とする請求項６又は請求項７に記載のノートパソコン用冷却台。
【請求項９】
前記金属板は、アルミニウム製であること
を特徴とする請求項６又は請求項７に記載のノートパソコン用冷却台。
【請求項１０】
ペルチェ効果により低温部と高温部とが発生する冷却手段を備えていること
を特徴とする請求項１から請求項５までのいずれか１項に記載のノートパソコン用冷却台。
【請求項１１】
前記冷却手段は、その低温部が前記アルミラミネートフィルム製の袋の外表面と接触するように設けられていること
を特徴とする請求項１０に記載のノートパソコン用冷却台。
【請求項１２】
前記冷却手段は、その低温部が前記載置面を形成し、かつ、その高温部が前記アルミラミネートフィルム製の袋の外表面と接触するように設けられていること
を特徴とする請求項１０に記載のノートパソコン用冷却台。
【考案の詳細な説明】
【技術分野】
【０００１】
本考案は、ノートパソコンの温度上昇を抑制するノートパソコン用冷却台に関するものである。
【背景技術】
【０００２】
従来、パーソナルコンピュータ（以下パソコン）は、中央演算処理装置（ＣＰＵ）等の電子素子やハードディスクドライブ等のデバイスを多数備えており、これらはパソコンの高性能化に伴い発熱量が増加する傾向にある。一方、パソコンは、温度が上昇して過熱状態となった場合に、処理速度が低下した状態や処理動作が不安定な状態等になることがある。特に、小型化された筐体内にＣＰＵやハードディスクドライブ等の熱源が収納されたノートパソコンは、デスクトップパソコンに比べて、温度が上昇しやすく過熱状態となりやすい。
【０００３】
こうしたノートパソコンの温度上昇を抑制するため、ノートパソコンの熱を熱伝導率の高い金属板に吸収させる構成のノートパソコン用冷却台が提案されている（特許文献１参照）。このノートパソコン用冷却台は、上面がノートパソコンを載置するための載置面となるよう形成されたアルミニウム製の金属板を備えており、このノートパソコン用冷却台にノートパソコンを載置すると、ノートパソコンの熱が金属板に吸収されることによってその温度上昇が抑制される。
【０００４】
しかしながら、このような構成のノートパソコン用冷却台では、使用に伴う金属板の温度上昇により吸熱効果が長時間持続しない。ここで、吸熱効果を長時間持続させるには、金属板の熱容量を大きくしたり、放熱量を大きくしたりすることが考えられるが、いずれにしてもノートパソコン用冷却台自体を大型化しなければならなくなる。
【０００５】
そこで、ノートパソコンの熱を融解潜熱として吸収するノートパソコン用冷却台が提案されている（特許文献２参照）。このノートパソコン用冷却台は、塩化カルシウム、水分及び添加物とからなる冷却材と、その冷却材が充填された熱伝導性の密封容器とを備えており、密封容器は冷却の対象となるノートパソコンの底面と当接するよう構成されている。このノートパソコン用冷却台において、冷却材は、対象となるノートパソコンの発熱によって全体が融解し、そのノートパソコンの熱を融解潜熱として吸収する。このような構成のノートパソコン用冷却台によれば、融解潜熱を利用しているため、上記特許文献１に記載のようにノートパソコンの熱を顕熱交換によって金属板に吸収させる構成に比べて、熱容量を格段に大きくすることができ、その結果、ノートパソコンの温度上昇を長時間抑制することが可能である。
【特許文献１】特開２００３−１０８２６７号公報
【特許文献２】特開２００２−３１４４８号公報
【考案の開示】
【考案が解決しようとする課題】
【０００６】
しかしながら、上記特許文献２に記載のノートパソコン用冷却台では、ノートパソコンの熱を吸収することにより冷却材全体が溶融し、密封容器内部が液体あるいはゲル状の流動しやすい状態の冷却材によって満たされる。そのため、万が一、密封容器が破損することによって流動しやすい状態の冷却材が容器外部に漏れだした場合に、冷却材の除去処理が困難なものとなる。しかも、この冷却材には、腐食性の強い物質である塩化物（塩化カルシウム）が含まれているため、冷却材がノートパソコンの内部に侵入した場合に故障の原因となる。
【０００７】
本考案は、こうした問題にかんがみてなされたものであり、万が一、冷却材が漏れだしても、ノートパソコンを故障させにくく、しかもその除去処理が容易なノートパソコン用冷却台を提供することを目的としている。
【課題を解決するための手段】
【０００８】
上記目的を達成するため、本考案においては、次のような特徴的構成を採用した。
請求項１に記載のノートパソコン用冷却台は、ノートパソコンを載置する載置面が形成されるとともに、前記載置面に載置されたノートパソコンの温度上昇を抑制するための冷却材を備えたものであり、前記冷却材として、パーライトにパラフィンを担持させてなる複合組成物を備え、更に、前記冷却材をアルミラミネートフィルム製の袋に充填して真空パックしてなることを特徴とする。
【０００９】
請求項２に記載のノートパソコン用冷却台は、請求項１に記載のノートパソコン用冷却台において、前記パラフィンは、炭素数が１２〜２０のｎ−パラフィンであることを特徴とする。
【００１０】
請求項３に記載のノートパソコン用冷却台は、請求項１又は請求項２に記載のノートパソコン用冷却台において、前記パーライトは、平均粒子径が５〜５０μｍ、吸油量が１５０〜５００ｍｌ／１００ｇであることを特徴とする。
【００１１】
請求項４に記載のノートパソコン用冷却台は、請求項１〜請求項３のいずれかに記載のノートパソコン用冷却台において、前記アルミラミネートフィルムは、前記袋の外面側から内面側に向かってＰＥＴ、ＰＥ、Ａｌ、ＰＥ、ＰＥを積層してなる５層構造のフィルムで、当該フィルム全体の厚さが９０〜２００μｍであることを特徴とする。
【００１２】
請求項５に記載のノートパソコン用冷却台は、請求項１〜請求項４のいずれかに記載のノートパソコン用冷却台において、前記真空パックを行う際の圧力条件が、−７０ｋＰａ以下に設定されたものであることを特徴とする。
【００１３】
請求項６に記載のノートパソコン用冷却台は、請求項１〜請求項５のいずれかに記載のノートパソコン用冷却台において、前記アルミラミネートフィルム製の袋の内部に金属板を備えていることを特徴とする。
【００１４】
請求項７に記載のノートパソコン用冷却台は、請求項１〜請求項６のいずれかに記載のノートパソコン用冷却台において、前記アルミラミネートフィルム製の袋の外表面に、前記載置面を形成する金属板を備えていることを特徴とする。
【００１５】
請求項８に記載のノートパソコン用冷却台は、請求項６又は請求項７に記載のノートパソコン用冷却台において、前記金属板は、鉄製であることを特徴とする。
請求項９に記載のノートパソコン用冷却台は、請求項６又は請求項７に記載のノートパソコン用冷却台において、前記金属板は、アルミニウム製であることを特徴とする。
【００１６】
請求項１０に記載のノートパソコン用冷却台は、請求項１〜請求項５のいずれかに記載のノートパソコン用冷却台において、ペルチェ効果により低温部と高温部とが発生する冷却手段を備えていることを特徴とする。
【００１７】
請求項１１に記載のノートパソコン用冷却台は、請求項１０に記載のノートパソコン用冷却台において、前記冷却手段は、その低温部が前記アルミラミネートフィルム製の袋の外表面と接触するように設けられていることを特徴とする。
【００１８】
請求項１２に記載のノートパソコン用冷却台は、請求項１０に記載のノートパソコン用冷却台において、前記冷却手段は、その低温部が前記載置面を形成し、かつ、その高温部が前記アルミラミネートフィルム製の袋の外表面と接触するように設けられていることを特徴とする。
【００１９】
以下、本考案について、さらに詳細に説明する。
本考案において利用するパーライトは、真珠岩、松脂岩、黒曜石などの原石を粉砕、焼成して発泡させた多孔質材料であり、パラフィンを吸収、担持するための担体となる成分として利用されている。本考案においては、このパーライトを担体として採用しているので、他の無機多孔質材料（例えば、シリカゲルやゼオライト）を担体として採用した場合よりも、冷却材としての性能が良好なものとなる。具体的には、パラフィンをシリカゲルやゼオライトなどの多孔質担体に担持させた場合、多孔質担体内の数ｎｍの径の細孔内に担持されたパラフィンと担体粒子間に担持されたパラフィンとでは、パラフィンの融点に違いが生じる傾向がある。そのため、この温度差が大きい場合には、一方が融解する温度に達しても他方が融解する温度に達しないことがあり、この場合、他方が融解しない分だけ融解潜熱を奪うことができず、熱吸収性能が低くなる。この点、パーライトを担体として用いると、多孔質担体内部の数μｍの径の細孔内に担持されたパラフィンと担体粒子間に担持されたパラフィンとでは、パラフィンの融解する温度にほとんど差異が無く、この温度の差異を例えばシリカゲルやゼオライトを担体として利用した場合よりも小さくすることができるので、冷却材としての性能が良好なものとなる。
【００２０】
また、本考案において利用するパーライトは、平均粒子径が５〜５０μｍ、吸油量が１５０〜５００ｍｌ／１００ｇのものであると好ましい。この平均粒子径が５μｍを下回ると、個々のパーライト粒子におけるパラフィンを担持可能な内部空間が小さくなりすぎ、その分、冷却材としての性能が低下する傾向があるので不利である。一方、平均粒子径が５０μｍを上回ると、粒子間に隙間ができやすく、粒子間における熱伝導効率が悪くなり、やはり、冷却材としての性能が低下する傾向がある。吸油量は、１５０ｍｌ／１００ｇを下回ると、担持可能なパラフィンの絶対量が少なくなるため、冷却材としての性能が低下する傾向がある。なお、吸油量は、５００ｍｌ／１００ｇを上回っても構わないが、そのようなパーライトを入手することは容易ではない。
【００２１】
また、本考案において、パラフィンは、所定の目標温度付近に融点を持ち、融点を超えて環境温度が変化したときに融解し、その融解に伴って周囲から熱を奪う成分である。目標温度は任意に選定されるので、一概には特定できないが、炭素数が１２〜２０のｎ−パラフィンを用いると、融点が約−１０〜３７℃となるので、例えば、パラフィンの融点を、通常の室温よりも高く、かつ、ノートパソコンの動作中の温度よりも低い温度（例えば３２℃）となるよう構成することで、パラフィンは、ノートパソコンの発熱によってパラフィンが融点に達した場合に溶融し、ノートパソコンが発生した熱を潜熱として吸収する。
【００２２】
このパラフィンは融点以上の温度条件下でパーライトと混合され、これにより、液状のパラフィンをパーライトに含浸させ、均一に混合することにより、パーライトにパラフィンを担持させてなる複合組成物とされる。そして、この複合組成物がアルミラミネートフィルム製の袋に充填される。
【００２３】
アルミラミネートフィルム製の袋は、袋の内部の成分が袋の外部へ漏出したり揮発したりするのを防止する機能、袋の外部から内部へ空気が侵入するのを防止する機能、不定形材料である複合組成物を袋の形状に維持する機能、袋の外面に接触した部材の形状に追従して変形することで袋の外面に接触した部材に密着する機能、及び、袋の外部と内部との間で良好に熱を伝達する機能を兼ね備えたものである。一例を挙げれば、例えば、袋の外面側から内面側に向かってＰＥＴ（ポリエチレンテレフタレート）、ＰＥ（ポリエチレン）、Ａｌ（アルミニウム）、ＰＥ（ポリエチレン）、ＰＥ（ポリエチレン）を積層してなる５層構造のフィルムを用いると、十分に高い気密性、液密性を確保することができるとともに、Ａｌの作用で良好な熱伝導性も確保することができる。また、そのフィルム厚を９０〜２００μｍとすることで、袋の柔軟性も確保し、袋の外面に接触した部材に対する密着性を確保することができる。そのため、ノートパソコンを載置するための載置面がアルミラミネートフィルムの外表面によって形成されている場合には、ノートパソコンの底面の凹凸にフィットする。したがって、ノートパソコンの底面との間に隙間ができにくいように構成することができ、効率よく熱交換を行うことができる。
【００２４】
なお、袋の形状や容量は、任意であるが、ノートパソコンを載置するための載置面を形成するためには、例えば、厚さ３〜５０ｍｍ程度の板状となるような形態の袋を用いると好ましい。また、小さな袋が縦横に複数配列されて全体としてシート状になっているような形態のものであってもよい。
【００２５】
このような袋に上記複合組成物を充填したら真空パックされる。真空パックは、常法に従って実施すればよく、具体的には、例えば、大気圧より低い圧力条件下で複合組成物を袋内に充填して袋の開口部をヒートシールする、といった方法で実施すればよい。真空パックを行う際の圧力条件は、望ましくは−７０ｋＰａ以下、さらに望ましくは−８０ｋＰａ程度に設定するとよく、これにより、袋と複合組成物との密着性が十分に高くなって袋の外部とパラフィンとの間における熱伝導効率が向上する。しかも、袋のだぶつきが解消されて袋全体が引き締まり、これに伴って、複合組成物の充填密度も高くなって複合組成物粒子間の隙間は小さくなるので、冷却材全体の形態安定性はきわめて高くなり、ノートパソコンが載置されることによる変形が防止されるため、ノートパソコンを載置面で維持することが可能となる。
【００２６】
また、袋内部にデッドスペースができにくくなり、袋のだぶつきが解消されるのは、担体として採用したパーライトの物性も好影響を与えているものと推察される。すなわち、担体として、シリカゲルやゼオライトを採用した場合には、パーライトを採用した場合に比べ、袋の上部にデッドスペースができやすい傾向がある。その理由は、明確には解明されていないが、例えば、パーライトの流動性がシリカゲルやゼオライトよりも小さいとか、パラフィンとの間に作用する摩擦力がシリカゲルやゼオライトよりも大きい等、いくつかの要因が考えられ、これらの要因のいくつかが作用する結果、パーライトを担体として利用した場合に、冷却材の形態安定性が向上するのではないかと推察される。
【００２７】
ところで、載置されたノートパソコンは局所的に発熱することが通常であるため、冷却材を有効利用するには、ノートパソコンからの熱を冷却材全体に効率よく拡散させる必要がある。
【００２８】
そこで、金属板を、アルミラミネートフィルム製の袋の内部に備えることによって、ノートパソコンからの熱を冷却材全体に拡散させる構成が考えられる。このような構成のノートパソコン用冷却台では、金属板を備えていない構成に比べ、冷却材全体が有効に利用される。
【００２９】
また、ノートパソコンを載置するための載置面を形成する金属板をアルミラミネートフィルム製の袋の外表面に設けることによって、ノートパソコンからの熱を冷却材全体に拡散する構成が考えられる。このような構成のノートパソコン用冷却台では、アルミラミネートフィルム製の袋の内部に金属板を備える構成に比べ、効率よく熱が拡散される。
【００３０】
なお、金属板としては、冷却材の見かけ上の熱伝導率よりも高い熱伝導率を有する金属板であればよく、具体的には、比較的安価で加工しやすい鉄や、鉄よりも熱伝導率の高いアルミニウム等による金属板が考えられる。
【００３１】
さらに、ペルチェ効果により低温部と高温部とが発生する冷却手段を用いることによって、ノートパソコンの温度上昇をより効果的に抑制することが可能となる。
具体的には、例えば、アルミラミネートフィルム製の袋に充填された冷却材を冷却手段の低温部によって冷却するよう構成するとよい。このような構成のノートパソコン用冷却台では、冷却材の熱容量を強制的に回復させることが可能となる。
【００３２】
また、例えば、ノートパソコンを冷却手段の低温部によって冷却し、冷却手段の高温部の熱をアルミラミネートフィルム製の袋に充填された冷却材によって吸収するように構成してもよい。このような構成のノートパソコン用冷却台では、ノートパソコンから冷却材への熱の移動効率を向上させることが可能となる。
【００３３】
以上説明したようなノートパソコン用冷却台によれば、パラフィンをパーライトに吸収、担持させて成る複合組成物が冷却材としてアルミラミネートフィルム製の袋に充填されて真空パックされているため、上記特許文献２に記載のように冷却材全体が溶融して液状ないしゲル状となる構成に比べて、万が一、袋が破損して袋内の冷却材が漏れだした場合であっても、冷却材の除去作業を比較的容易に行うことが可能となる。また、冷却材に塩化物や硫化物等の腐食性物質を使用していないため、万が一、冷却材がノートパソコン内部に侵入した場合であっても、塩化物や硫化物等の腐食性物質を使用した冷却材に比べてノートパソコンの故障の原因となりにくい。
【００３４】
また、アルミラミネートフィルム製の袋内部や外表面に鉄やアルミニウム等から成る金属板を備えることにより、本ノートパソコン用冷却台の熱吸収性能を向上させることが可能となる。
【００３５】
さらに、ペルチェ素子等の冷却手段によって熱の移動を強制的に行うことで、ノートパソコンの温度上昇はより効果的に抑制される。
加えて、パラフィンを担持させる担体としてパーライトを採用したので、シリカゲル等の他の無機多孔質担体を採用した場合に比べ、パラフィンの融解潜熱を効果的に利用して熱吸収性能を上げることができ、さらに、複合組成物が充填された場合の袋のだぶつきが解消される。
【考案を実施するための最良の形態】
【００３６】
以下、本考案が適用された実施形態について、図面を用いて説明する。
［１．本実施形態のノートパソコン用冷却台の構成］
図１は、本実施形態のノートパソコン用冷却台１０の説明図であり、（ａ）はその上面図、（ｂ）はＡ−Ａ線断面図である。図１（ａ）及び同図（ｂ）に示すように、ノートパソコン用冷却台１０は、アルミラミネートフィルム製の袋１１と、冷却材としての複合組成物１２とを備えている。このノートパソコン用冷却台１０は、複合組成物１２が袋１１内部に充填され真空パックされることによって、全体が平板状に形成されており、その上面がノートパソコンを載置するための載置面１１ａとなるよう構成されている。
【００３７】
本実施形態において、袋１１は、袋１１の内部の成分が袋１１の外部へ漏出したり揮発したりするのを防止する機能、袋１１の外部から内部へ空気が侵入するのを防止する機能、不定形材料である複合組成物１２を袋１１の形状に維持する機能、袋１１の外面に接触した部材の形状に追従して変形することで袋１１の外面に接触した部材に密着する機能、及び、袋１１の外部と内部との間で良好に熱を伝達する機能を兼ね備えたものである。この袋１１は、ＰＥＴ層（厚さ１２μｍ）、ＰＥ層（厚さ１５μｍ）、Ａｌ層（厚さ７μｍ）、ＰＥ層（厚さ１５μｍ）、及びＰＥ層（厚さ４０μｍ）を持つ５層構造のアルミラミネートフィルムによって構成されたものである。より詳しくは、袋１１は、上記５層構造のアルミラミネートフィルムを、ＰＥＴ層が外面、ＰＥ層が内面となるように二つ折りするとともに、二つ折りした１辺以外の３辺を熱融着部１１ｂとして、この熱融着部１１ｂをヒートシールしたものである。なお、熱融着部１１ｂは、３辺のうち、あらかじめ２辺だけがヒートシールされるとともに、残り１辺は開口部とされ、この状態で複合組成物１２が袋１１内に充填される。そして、複合組成物１２の充填後に、開口部となっていた残り１辺もヒートシールされる。袋１１の大きさは、載置するノートパソコンの大きさに応じて任意に設定可能であるが、本実施形態においては、縦２１ｃｍ、横２３ｃｍのものを利用した。
【００３８】
また、複合組成物１２は、パーライトにパラフィンを担持させてなるものである。本実施形態においては、市販のパーライト（昭和化学工業株式会社製、商品名：トプコ＃３４、平均粒子径：２５μｍ、吸油量：３８０ｍｌ／１００ｇ）と、市販のｎ−パラフィン（株式会社ジャパンエナジー製、商品名：ＴＳ−９０、炭素数：１９、融点：３２℃）を利用して、複合組成物１２を調製した。パーライトにパラフィンを担持させるための具体的手順や条件は任意であるが、一例を挙げれば、本実施形態においては、ｎ−パラフィンを恒温機で５０℃に加熱して融解させ、融解したｎ−パラフィン３５ｋｇとパーライト１５ｋｇとを、シグマニーダーにて１５分間混合することにより、所期の複合組成物１２（つまり、ｎ−パラフィンとパーライトとの重量比が７：３となる複合組成物１２）を得た。そして、この複合組成物１２を４００ｇ、上述の袋１１を利用して、真空包装機にて大気圧より低い圧力条件を設定して（本実施形態においては、−８０ｋＰａ）真空パックした。
【００３９】
［２．実験例］
本実験例は、本実施形態のノートパソコン用冷却台１０を使用した場合と未使用の場合とのノートパソコンの温度上昇の様子を比較することで、ノートパソコン用冷却台１０の有効性を確認したものである。
【００４０】
実験方法について詳しく説明する。本ノートパソコン用冷却台１０の載置面１１ａと、その載置面１１ａに載置されたノートパソコン（ソニー株式会社製、商品名：ＶＡＩＯ  ＰＣＧ−ＳＲ１Ｃ／ＢＰ）との間に温度計を配置しノートパソコンの温度を測定することで、ノートパソコンの電源投入後のノートパソコンの温度変化、及び電源投入後３時間１５分経過後にノートパソコンの電源を遮断した後のノートパソコンの温度変化を測定した。
【００４１】
ノートパソコン用冷却台１０を使用した場合と未使用の場合とのノートパソコンの温度変化の様子を図２に示す。同図に示すように、本ノートパソコン用冷却台１０を使用した場合のノートパソコンの温度と、未使用の場合のノートパソコンの温度とは、ノートパソコンの電源投入後上昇する。そして、ノートパソコンの温度がパラフィンの融点である３２℃を超えた辺りから、本ノートパソコン用冷却台１０を使用した場合のノートパソコンの温度上昇は抑制され、使用しない場合に比べて緩やかなものとなる。また、電源投入から３時間１５分経過後に電源を遮断すると、ノートパソコン用冷却台１０を使用した場合のノートパソコンの温度は、比較的速やかに約３２℃まで低下し、その後約３２℃を維持する。そのためノートパソコンが受ける熱衝撃は小さいものとなる。
【００４２】
［３．実施形態の効果］
以上のように構成されたノートパソコン用冷却台１０によれば、パラフィンをパーライトに吸収、担持させて成る複合組成物１２が冷却材としてアルミラミネートフィルム製の袋１１に充填されて真空パックされているため、冷却材全体が溶融して液状ないしゲル状となる構成に比べて、万が一、袋１１が破損して袋１１内の複合組成物１２が漏れだしても、複合組成物１２の除去作業を比較的容易に行うことが可能となる。また、複合組成物１２に塩化物や硫酸塩等の腐食性物質を使用していないため、万が一、複合組成物１２がノートパソコン内部に侵入した場合であっても、塩化物や硫酸塩等の腐食性物質を使用した冷却材に比べてノートパソコンの故障の原因となりにくい。
【００４３】
また、ノートパソコンを載置するための載置面１１ａが、局所局所が柔軟に変形するアルミラミネートフィルムの外表面によって形成されているため、ノートパソコンの底面の凹凸にフィットする。したがって、ノートパソコンの底面との間に隙間ができにくくなり、効率よく熱交換を行うことができる。
【００４４】
なお、複合組成物１２に含まれるパラフィンが外部へ漏出したり揮発したりするのを防止するために、複合組成物１２をゴムや樹脂等に練り込んだ構成や、複合組成物１２の粒子の表面に封入層を設ける構成等が考えられるが、本ノートパソコン用冷却台１０は、そのような構成に比べ、複合組成物１２内の粒子間の隙間を低減でき、粒子間における熱伝導効率を向上させることができる。
【００４５】
また、このノートパソコン用冷却台１０においては、複合組成物１２を袋１１に充填して真空パックしたことにより、大気圧の作用で袋１１が引き締まり、複合組成物１２の充填密度が高くなるので、ノートパソコン用冷却台１０を単に容器内に封入したものに比べ、袋１１内部にデッドスペースができにくいものとなる。したがって、このノートパソコン用冷却台１０によれば、袋１１のだぶつきがなく形状安定性が高いため、ノートパソコンを載置面１１ａにおいて安定した状態で維持することが可能である。
【００４６】
加えて、このノートパソコン用冷却台１０においては、パラフィンを担持させる担体としてパーライトを採用したので、シリカゲル等の他の無機多孔質担体を採用した場合に比べ、パラフィンの融解潜熱を効果的に利用して熱吸収性能を上げることができ、かつ、袋１１の内部にデッドスペースができにくいため、袋１１のだぶつきを小さくする複合組成物１２となる。
【００４７】
［４．他の形態］
以上、本考案の実施形態について説明したが、本考案は上記の具体的な一実施形態に限定されず、この他にも種々の形態で実施することができる。
【００４８】
例えば、上記実施形態では、平板状のノートパソコン用冷却台１０を図示したが、袋１１の形態は任意であり、袋１１の形態を変えることにより、様々な形態のノートパソコン用冷却台を構成することができる。具体的には、小さな袋が縦横に複数配列されて全体としてシート状のノートパソコン用冷却台となるような形態の袋を用いてもよい。
【００４９】
また、上記実施形態のノートパソコン用冷却台１０では、炭素数１９、融点３２℃のｎ−パラフィンを利用したが、パラフィンの溶融温度は任意に変えることができ、それに応じてパラフィンの炭素数も任意に変更することができる。また、異なる炭素数のパラフィンをブレンドすることもでき、これにより、パラフィンの溶融温度を調節することができる。
【００５０】
ところで、載置されたノートパソコンは局所的に発熱することが通常であるため、複合組成物１２全体を有効利用するには、ノートパソコンからの熱を複合組成物１２全体に効率よく拡散させることが好ましい。
【００５１】
そこで、例えば、上記実施形態のノートパソコン用冷却台１０において、袋１１の内部に熱拡散用の金属板を設けることによって、ノートパソコンからの熱を複合組成物１２全体に効率よく拡散させることが考えられる。ここで、このような構成のノートパソコン用冷却台（以下「第１変形例のノートパソコン用冷却台」という。）について、図３を用いて説明する。同図に示すように、第１変形例のノートパソコン用冷却台２０は、上記実施形態のノートパソコン用冷却台１０と基本的には同一の構成であるが、縦横の長さが袋１１より一回り小さい長方形状の金属板２１を袋１１の内部に備えており、複合組成物１２が金属板２１の周囲に充填された状態で真空パックされている点のみが異なる。このような構成のノートパソコン用冷却台２０において、載置面１１ａに載置されたノートパソコンで局所的に発生した熱は、袋１１の内部に充填された一部の複合組成物１２を介して、金属板２１に移動する。そして、金属板２１に移動した熱は、金属板２１全体に拡散し、袋１１内部に充填されている複合組成物１２全体によって吸収される。そのため、本第１変形例のノートパソコン用冷却台２０によれば、袋１１内部に金属板２１を備えていない構成に比べ、複合組成物１２全体が有効に利用されるため、ノートパソコンの温度上昇抑制効果を一層向上させることができる。なお、金属板２１は、複合組成物１２の見かけ上の熱伝導率よりも高い熱伝導率を有するものであればよい。ここで、熱伝導率の高い金属としては、例えば銀や銅が挙げられるが、こうした銀や銅よりも比較的安価でかつ熱伝導率の高いアルミニウムや、アルミニウムよりも更に安価な鉄を用いれば、低コストで構成することが可能となる。
【００５２】
また、例えば、上記実施形態のノートパソコン用冷却台１０において、袋１１の外表面（具体的には載置面１１ａ）に熱拡散用の金属板を設けることによって、ノートパソコンからの熱を複合組成物１２全体に効率よく拡散させることも考えられる。ここで、このような構成のノートパソコン用冷却台（以下「第２変形例のノートパソコン用冷却台」という。）について、図４を用いて説明する。同図に示すように、第２変形例のノートパソコン用冷却台３０は、上記実施形態のノートパソコン用冷却台１０と基本的には同一の構成であるが、縦横の長さが袋１１より一回り小さい長方形状の金属板３１を備えている点が異なる。具体的には、金属板３１が、袋１１の外表面に接着剤で接着されており、この金属板３１によってノートパソコンを載置するための載置面３１ａが形成されている。このような構成のノートパソコン用冷却台３０において、載置面３１ａに載置されたノートパソコンで局所的に発生した熱は、金属板３１に直接移動し、金属板３１全体に拡散して、袋１１内部に充填されている複合組成物１２全体によって吸収される。そのため、本第２変形例のノートパソコン用冷却台３０によれば、上記第１変形例のノートパソコン用冷却台２０よりも一層効率よく熱を拡散させることができる。なお、金属板３１としては、上述したように、アルミニウム製や鉄製のものを用いることにより、低コストで構成することが可能となる。
【００５３】
一方、例えば、上記実施形態のノートパソコン用冷却台１０において、ペルチェ効果を利用してノートパソコンの温度上昇をより効果的に抑制することが考えられる。ここで、ペルチェ効果とは、異種の導体（又は半導体）の接点に電流を流すと、導体間で熱の移動による温度差が生じる周知の現象である。こうしたペルチェ効果を利用したペルチェ素子は、電流が流されることにより、電流が流される前よりも温度が低下する低温部と、電流が流される前よりも温度が上昇する高温部とを形成する。
【００５４】
こうしたペルチェ効果を用いてノートパソコンの温度上昇を効果的に抑制する具体的構成としては、例えば、上記実施形態のノートパソコン用冷却台１０において、袋１１の外表面をペルチェ効果によって冷却する構成が考えられる。ここで、このような構成のノートパソコン用冷却台（以下「第３変形例のノートパソコン用冷却台」という。）について、図５を用いて説明する。同図に示すように、第３変形例のノートパソコン用冷却台４０は、上記実施形態のノートパソコン用冷却台１０と基本的には同一の構成であるが、袋１１における載置面１１ａとは反対側の面に、ペルチェ効果を利用した冷却装置４１を備えている点のみが異なる。具体的には、冷却装置４１は、縦横の長さが袋１１より一回り小さい長方形状の高温部形成用金属板４２と、高温部形成用金属板４２の上面全域に配置された複数のペルチェ素子４３，４３，…と、高温部形成用金属板４２との間でペルチェ素子４３，４３，…を挟み込むように設けられた高温部形成用金属板４２と同一形状の低温部形成用金属板４４とを備えている。また、各ペルチェ素子４３は、通電されることにより、高温部形成用金属板４２と当接する側の面が高温部となり、低温部形成用金属板４４と当接する側の面が低温部となる向きに配置されている。そして、本ノートパソコン用冷却台４０において、冷却装置４１は、低温部形成用金属板４４が、袋１１における載置面１１ａとは反対側の面に接着剤で接着されている。このように構成されたノートパソコン用冷却台４０では、ノートパソコンが、袋１１内の複合組成物１２により冷却され、複合組成物１２が、冷却装置４１の低温部形成用金属板４４により強制的に冷却される。そのため、本第３変形例のノートパソコン用冷却台４０によれば、複合組成物１２による吸熱効果を長時間持続させることが可能となる。
【００５５】
また、例えば、上記実施形態のノートパソコン用冷却台１０において、ノートパソコン自体をペルチェ効果によって冷却する構成も考えられる。ここで、このような構成のノートパソコン用冷却台（以下「第４変形例のノートパソコン用冷却台」という。）について、図６を用いて説明する。同図に示すように、第４変形例のノートパソコン用冷却台５０は、上記実施形態のノートパソコン用冷却台１０と基本的には同一の構成であるが、袋１１における載置面１１ａに、上記第３変形例で示したものと同じ構成の冷却装置４１を備えている点のみが異なる。具体的には、このノートパソコン用冷却台５０において、冷却装置４１は、高温部形成用金属板４２が、袋１１における載置面１１ａに接着剤で接着されており、低温部形成用金属板４４によってノートパソコンを載置するための載置面４１ａが形成されている。このように構成されたノートパソコン用冷却台５０では、ノートパソコンが、冷却装置４１の低温部形成用金属板４４により冷却され、冷却装置４１の高温部形成用金属板４２が、袋１１内の複合組成物１２により冷却される。そのため、本第４変形例のノートパソコン用冷却台５０によれば、ノートパソコンから複合組成物１２への熱の移動効率を向上させることが可能となる。
【００５６】
なお、冷却装置４１を設ける位置は、上記第３変形例及び第４変形例の構成に限定されるものではなく、例えば、袋１１の内部に冷却装置４１を設けてもよい。
【図面の簡単な説明】
【００５７】
【図１】実施形態のノートパソコン用冷却台の説明図であり、（ａ）はその上面図、（ｂ）はＡ−Ａ線断面図である。
【図２】ノートパソコン用冷却台による温度上昇抑制効果を説明するためのグラフである。
【図３】第１変形例のノートパソコン用冷却台の説明図であり、（ａ）はその上面図、（ｂ）はＡ−Ａ線断面図である。
【図４】第２変形例のノートパソコン用冷却台の説明図であり、（ａ）はその上面図、（ｂ）はＡ−Ａ線断面図である。
【図５】第３変形例のノートパソコン用冷却台の説明図であり、（ａ）はその上面図、（ｂ）はＡ−Ａ線断面図である。
【図６】第４変形例のノートパソコン用冷却台の説明図であり、（ａ）はその上面図、（ｂ）はＡ−Ａ線断面図である。
【符号の説明】
【００５８】
１０，２０，３０，４０，５０…ノートパソコン用冷却台、１１…袋、１１ａ，３１ａ，４１ａ…載置面、１１ｂ…熱融着部、１２…複合組成物、２１，３１…金属板、４１…冷却装置、４２…高温部形成用金属板、４３…ペルチェ素子、４４…低温部形成用金属板
【図１】
0003116467.tif 000003
【図２】
0003116467.tif 000004
【図３】
0003116467.tif 000005
【図４】
0003116467.tif 000006
【図５】
0003116467.tif 000007
【図６】
0003116467.tif 000008